【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
コーディングユニット（ＣＵ）の予測ユニット（ＰＵ）用の、複数のフラグを備える第１のシンタックス要素グループと、第２のシンタックス要素グループとを含むエントロピー符号化ビットストリームを受信することと、ここにおいて、前記第２のシンタックス要素グループのシンタックス要素は、前記第１のシンタックス要素グループのそれぞれのシンタックス要素に対応し、前記第１のシンタックス要素グループの前記複数のフラグのうちのあるフラグは、前記ＣＵ中のそれぞれのＰＵのルーマサンプルのイントラ予測モードが最確モードリストへのインデックスに基づくかどうかを示す、
前記第１のシンタックス要素グループをコンテキスト適応型バイナリ算術コーディング（ＣＡＢＡＣ）復号することと、
前記第１のシンタックス要素グループをＣＡＢＡＣ復号した後に、前記第２のシンタックス要素グループをバイパス復号することと、ここにおいて、前記第２のシンタックス要素グループは、
前記第１のシンタックス要素グループにおける前記フラグが、前記それぞれのＰＵの前記ルーマサンプルの前記イントラ予測モードが前記最確モードリストへの前記インデックスに基づくことを示す場合に、前記最確モードリストへの前記インデックスを示す第１のシンタックス要素、および
前記第１のシンタックス要素グループにおける前記フラグが、前記それぞれのＰＵの前記ルーマサンプルの前記イントラ予測モードが前記最確モードリストへの前記インデックスに基づかないことを示す場合に、前記それぞれのＰＵの前記ルーマサンプルの前記イントラ予測モードを示す第２のシンタックス要素
のうちの１つを備え、
前記復号された第１のシンタックス要素グループおよび前記復号された第２のシンタックス要素グループに基づいて前記ビデオデータを再構成することと
を備える方法。
【請求項２】
前記第１のシンタックス要素グループの前記ＣＡＢＡＣ復号とは別に、クロマイントラ予測モードを示すために使われる第１のビンのセットをＣＡＢＡＣ復号することと、
前記第２のシンタックス要素グループの前記バイパス復号とは別に、前記クロマイントラ予測モードを示すために使われる第２のビンのセットをバイパス復号することと
をさらに備える、請求項１に記載の方法。
【請求項３】
受信することは、前記ＣＵの前記ＰＵ用の前記第２のシンタックス要素グループの任意のシンタックス要素を受信する前に、前記ＣＵの前記ＰＵ用の前記第１のシンタックス要素グループのシンタックス要素すべてを受信することを備える、請求項１に記載の方法。
【請求項４】
ＣＡＢＡＣ復号することは、前記第２のシンタックス要素グループの任意のシンタックス要素をバイパス復号する前に、前記第１のシンタックス要素グループのシンタックス要素すべてをＣＡＢＡＣ復号することを備える、請求項１に記載の方法。
【請求項５】
再構成することは、
前記第１のシンタックス要素グループおよび前記第２のシンタックス要素グループに基づいて前記ＣＵの前記ＰＵをイントラ予測復号すること
を備える、請求項１に記載の方法。
【請求項６】
ビデオデータを符号化する方法であって、
複数のフラグを備える第１のシンタックス要素グループを生成することと、ここにおいて、前記第１のシンタックス要素グループの前記複数のフラグのうちのあるフラグは、コーディングユニット（ＣＵ）中のそれぞれの予測ユニット（ＰＵ）のルーマサンプルのイントラ予測モードが最確モードリストへのインデックスに基づくかどうかを示す、
第２のシンタックス要素グループを生成することと、ここにおいて、前記第２のシンタックス要素グループのシンタックス要素は、前記第１のシンタックス要素グループのそれぞれのシンタックス要素に対応し、ここにおいて、前記第２のシンタックス要素グループは、
前記第１のシンタックス要素グループにおける前記フラグが、前記それぞれのＰＵの前記ルーマサンプルの前記イントラ予測モードが前記最確モードリストへの前記インデックスに基づくことを示す場合に、前記最確モードリストへの前記インデックスを示す第１のシンタックス要素、および
前記第１のシンタックス要素グループにおける前記フラグが、前記それぞれのＰＵの前記ルーマサンプルの前記イントラ予測モードが前記最確モードリストへの前記インデックスに基づかないことを示す場合に、前記それぞれのＰＵの前記ルーマサンプルの前記イントラ予測モードを示す第２のシンタックス要素
のうちの１つを備え、
前記第１のシンタックス要素グループをコンテキスト適応型バイナリ算術コーディング（ＣＡＢＡＣ）符号化することと、
前記第１のシンタックス要素グループをＣＡＢＡＣ符号化した後に、前記第２のシンタックス要素グループをバイパス符号化することと、
前記符号化された第１のシンタックス要素グループと前記符号化された第２のシンタックス要素グループとを含む前記ビデオデータを出力することと
を備える方法。
【請求項７】
前記第１のシンタックス要素グループの前記ＣＡＢＡＣ符号化とは別に、クロマイントラ予測モードを示すために使われる第１のビンのセットをＣＡＢＡＣ符号化することと、
前記第２のシンタックス要素グループの前記バイパス符号化とは別に、前記クロマイントラ予測モードを示すために使われる第２のビンのセットをバイパス符号化することとをさらに備える、請求項６に記載の方法。
【請求項８】
出力することは、前記第２のシンタックス要素グループの任意のシンタックス要素を出力する前に、前記符号化された第１のシンタックス要素グループのシンタックス要素すべてを含む前記ビデオデータを出力することを備える、請求項６に記載の方法。
【請求項９】
ＣＡＢＡＣ符号化することは、前記第２のシンタックス要素グループの任意のシンタックス要素をバイパス符号化する前に、前記第１のシンタックス要素グループのシンタックス要素すべてをＣＡＢＡＣ符号化することを備える、請求項６に記載の方法。
【請求項１０】
前記第１のシンタックス要素グループおよび前記第２のシンタックス要素グループに基づいて前記ＣＵの前記ＰＵをイントラ予測符号化すること
をさらに備える、請求項６に記載の方法。
【請求項１１】
前記最確モードリストは、１つまたは複数の隣接ＰＵの１つまたは複数のイントラ予測モードを識別する、請求項１または請求項６に記載の方法。
【請求項１２】
前記第１のシンタックス要素グループは、４つのフラグを含み、前記４つのフラグの各々は、前記ＣＵのＩＮＴＲＡ＿Ｎ×Ｎ  ＰＵ構造のそれぞれのＰＵに関連付けられる、請求項１または請求項６に記載の方法。
【請求項１３】
実行されたとき、デバイスの１つまたは複数のプロセッサに、請求項１〜１２のいずれか一項に記載の方法を行わせる命令が記憶されたコンピュータ可読記憶媒体。
【請求項１４】
ビデオデータを復号するための装置であって、
コーディングユニット（ＣＵ）の予測ユニット（ＰＵ）用の、複数のフラグを備える第１のシンタックス要素グループと、第２のシンタックス要素グループとを含むエントロピー符号化ビットストリームを受信するための手段と、ここにおいて、前記第２のシンタックス要素グループのシンタックス要素は、前記第１のシンタックス要素グループのそれぞれのシンタックス要素に対応し、前記第１のシンタックス要素グループの前記複数のフラグのうちのあるフラグは、前記ＣＵ中のそれぞれのＰＵのルーマサンプルのイントラ予測モードが最確モードリストへのインデックスに基づくかどうかを示す、
前記第１のシンタックス要素グループをコンテキスト適応型バイナリ算術コーディング（ＣＡＢＡＣ）復号するための手段と、
前記第１のシンタックス要素グループをＣＡＢＡＣ復号した後に、前記第２のシンタックス要素グループをバイパス復号するための手段と、ここにおいて、前記第２のシンタックス要素グループは、
前記第１のシンタックス要素グループにおける前記フラグが、前記それぞれのＰＵの前記ルーマサンプルの前記イントラ予測モードが前記最確モードリストへの前記インデックスに基づくことを示す場合に、前記最確モードリストへの前記インデックスを示す第１のシンタックス要素、および
前記第１のシンタックス要素グループにおける前記フラグが、前記それぞれのＰＵの前記ルーマサンプルの前記イントラ予測モードが前記最確モードリストへの前記インデックスに基づかないことを示す場合に、前記それぞれのＰＵの前記ルーマサンプルの前記イントラ予測モードを示す第２のシンタックス要素
のうちの１つを備え、
復号された第１のシンタックス要素グループおよび前記復号された第２のシンタックス要素グループに基づいて前記ビデオデータを再構成するための手段と
を備える装置。
【請求項１５】
ビデオデータを符号化するための装置であって、
複数のフラグを備える第１のシンタックス要素グループを生成するための手段と、ここにおいて、前記第１のシンタックス要素グループの前記複数のフラグのうちのあるフラグは、コーディングユニット（ＣＵ）中のそれぞれの予測ユニット（ＰＵ）のルーマサンプルのイントラ予測モードが最確モードリストへのインデックスに基づくかどうかを示す、
第２のシンタックス要素グループを生成するための手段と、ここにおいて、前記第２のシンタックス要素グループのシンタックス要素は、前記第１のシンタックス要素グループのそれぞれのシンタックス要素に対応し、ここにおいて、前記第２のシンタックス要素グループは、
前記第１のシンタックス要素グループにおける前記フラグが、前記それぞれのＰＵの前記ルーマサンプルの前記イントラ予測モードが前記最確モードリストへの前記インデックスに基づくことを示す場合に、前記最確モードリストへの前記インデックスを示す第１のシンタックス要素、および
前記第１のシンタックス要素グループにおける前記フラグが、前記それぞれのＰＵの前記ルーマサンプルの前記イントラ予測モードが前記最確モードリストへの前記インデックスに基づかないことを示す場合に、前記それぞれのＰＵの前記ルーマサンプルの前記イントラ予測モードを示す第２のシンタックス要素
のうちの１つを備え、
前記第１のシンタックス要素グループをコンテキスト適応型バイナリ算術コーディング（ＣＡＢＡＣ）符号化するための手段と、
前記第１のシンタックス要素グループをＣＡＢＡＣ符号化した後に、前記第２のシンタックス要素グループをバイパス符号化するための手段と、
前記符号化された第１のシンタックス要素グループと前記符号化された第２のシンタックス要素グループとを含む前記ビデオデータを出力するための手段と
を備える装置。